(57)【要約】【課題】雨水や塵埃が溜まることによる腐食を防止することができる防護柵及び防護柵の取り付け方法を提供する。【解決手段】地表に所定間隔をおいて立設される複数の支柱２１と、支柱２１の間に支柱２１に平行に配設される縦さん３２と、縦さん３２を固定する一対の上部胴縁３３ａ及び下部胴縁３３ｂと、を有する防護柵１であって、下部胴縁３３ｂは、一方側の分割体３４ａと他方側の分割体３４ｂとの分割構造を有し、分割体３４により縦さん３２を挟持し、下部胴縁３３ｂの地表側に開口部３５が形成されている。【選択図】      図３−２
2014185479.tif 000002
【特許請求の範囲】
【請求項１】
地表に所定間隔をおいて立設される複数の支柱と、前記支柱の間に前記支柱に平行に配設される縦さんと、前記縦さんを固定する一対の上部胴縁及び下部胴縁と、を有する防護柵であって、
前記下部胴縁は、一方側の分割体と他方側の分割体との分割構造を有し、前記分割体により前記縦さんを挟持し、
前記下部胴縁の前記地表側に開口部が形成されていることを特徴とする防護柵。
【請求項２】
前記一方側の分割体と前記他方側の分割体とを位置決めする位置決め構造が形成されていることを特徴とする請求項１に記載の防護柵。
【請求項３】
前記一方側の分割体と前記他方側の分割体とを位置決めする位置決め構造が形成された端部キャップを有することを特徴とする請求項１に記載の防護柵。
【請求項４】
前記一方側の分割体と前記他方側の分割体とを仮止めする仮止め構造が形成されていることを特徴とする請求項１に記載の防護柵。
【請求項５】
地表に所定間隔をおいて立設される複数の支柱と、前記支柱の間に前記支柱に平行に配設される縦さんと、前記縦さんを固定する一対の上部胴縁及び下部胴縁と、を用いて行う防護柵の取り付け方法であって、
一方側の分割体と他方側の分割体とを有する下部胴縁における前記分割体同士によって前記縦さんを挟持させて前記下部胴縁の前記地表側に開口部を形成することを特徴とする防護柵の取り付け方法。
【発明の詳細な説明】
【技術分野】
【０００１】
本発明は、車道と歩道の境界、川・水路の転落防止を目的として設置される防護柵及びその取り付け方法に関するものである。
【背景技術】
【０００２】
従来から、車道と歩道等の境界に使用され、歩行者の横断防止、川・水路への転落防止を目的として、例えば、特開２００７−２０５００３号公報（特許文献１）に記載された防護柵が提案されている。
【０００３】
このような防護柵は、地表に立設された支柱と、この支柱の間に取り付けられるパネルとから略構成されている。このパネルは、上部胴縁及び下部胴縁と、この上部胴縁と下部胴縁との間であってこれらの胴縁に固定された複数本の縦さんとを有している。
【先行技術文献】
【特許文献】
【０００４】
【特許文献１】特開２００７−２０５００３号公報
【発明の概要】
【発明が解決しようとする課題】
【０００５】
ところで、上述した防護柵は水平な場所に留まらず、縦断勾配がある場所にも設置される。そのため、上述したパネルは勾配に対応して略ひし形に変形するように構成されている。
【０００６】
この構成を実現するため、上部胴縁及び下部胴縁には、縦さんの端部が可動可能な挿入孔が形成されていることから、特に下部胴縁に形成されて地上側へ開口した挿入孔から雨水や塵埃が浸入し、下部胴縁内部に長期に渡り湿潤状態で溜まることにより、下部胴縁が腐食するおそれがあった。
【０００７】
そこで、本発明が解決しようとする課題は、雨水や塵埃が溜まることによる腐食を防止することができる防護柵及び防護柵の取り付け方法を提供することにある。
【課題を解決するための手段】
【０００８】
上記目的を達成するため、本願請求項１に記載した本発明の防護柵は、地表に所定間隔をおいて立設される複数の支柱と、前記支柱の間に前記支柱に平行に配設される縦さんと、前記縦さんを固定する一対の上部胴縁及び下部胴縁と、を有する防護柵であって、前記下部胴縁は、一方側の分割体と他方側の分割体との分割構造を有し、前記分割体により前記縦さんを挟持し、前記下部胴縁の前記地表側に開口部が形成されていることを特徴とする。
【０００９】
請求項１に記載した本発明の防護柵によれば、下部胴縁の地表側に開口部が形成されているため、胴縁内部に侵入した雨水や塵埃を地表側へ排出することができる。従って、雨水や塵埃が溜まることによる腐食を防止することができる防護柵を提供することができる。
【００１０】
請求項２に記載した本発明の防護柵は、請求項１に記載の防護柵であって、前記一方側の分割体と前記他方側の分割体とを位置決めする位置決め構造が形成されていることを特徴とする。
【００１１】
請求項２に記載した本発明の防護柵によれば、位置決め構造により一方側の分割体と他方側の分割体とを位置決めするため、分割体同士を容易に配設することにより防護柵を取り付ける作業が簡便となる。
【００１２】
請求項３に記載した本発明の防護柵は、請求項１に記載の防護柵であって、前記一方側の分割体と前記他方側の分割体とを位置決めする位置決め構造が形成された端部キャップを有することを特徴とする。
【００１３】
請求項３に記載した本発明の防護柵によれば、端部キャップに形成された位置決め構造により一方側の分割体と他方側の分割体とを位置決めするため、分割体同士を容易に配設することにより防護柵を取り付ける作業が簡便となる。
【００１４】
請求項４に記載した本発明の防護柵は、請求項１に記載の防護柵であって、前記一方側の分割体と前記他方側の分割体とを仮止めする仮止め構造が形成されていることを特徴とする。
【００１５】
請求項４に記載した本発明の防護柵によれば、仮止め構造により一方側の分割体と他方側の分割体とを仮止めするため、分割体同士が離れることを防止して防護柵を取り付ける作業が簡便となる。
【００１６】
請求項５に記載した本発明の防護柵の取り付け方法は、地表に所定間隔をおいて立設される複数の支柱と、前記支柱の間に前記支柱に平行に配設される縦さんと、前記縦さんを固定する一対の上部胴縁及び下部胴縁と、を用いて行う防護柵の取り付け方法であって、一方側の分割体と他方側の分割体とを有する下部胴縁における前記分割体同士によって前記縦さんを挟持させて前記下部胴縁の前記地表側に開口部を形成することを特徴とする。
【００１７】
請求項５に記載した本発明の防護柵の取り付け方法によれば、分割体同士によって縦さんを挟持させて下部胴縁の地表側に開口部を形成するため、下部胴縁内部に侵入した雨水や塵埃を地表側へ排出することができる。従って、雨水や塵埃が溜まることによる腐食を防止することができる防護柵の取り付け方法を提供することができる。
【発明の効果】
【００１８】
このように、本発明の防護柵によれば、雨水や塵埃が溜まることによる腐食を防止することができる防護柵及び防護柵の取り付け方法を提供することができる。
【図面の簡単な説明】
【００１９】
【図１】本発明の第１実施形態に係る防護柵を示す正面図である。
【図２】本発明の第１実施形態に係る胴縁を示す斜視図である。
【図３】本発明の第１実施形態に係る胴縁の位置決め部を示す平面図及び斜視図である。
【図４】本発明の第２実施形態に係る胴縁の位置決め部を示す平面図及び斜視図である。
【図５】本発明の第３実施形態に係る胴縁の仮止め部を示す平面図及び斜視図である。
【図６】本発明の第４実施形態に係る胴縁の仮止め部を示す平面図及び斜視図である。
【図７】本発明の第５実施形態に係る端部キャップの位置決め部を示す平面図及び斜視図である。
【発明を実施するための形態】
【００２０】
以下、本発明の実施形態に係る防護柵について図面を参照して説明する。本発明の実施形態に係る防護柵は、車道と歩道の境界、川・水路の転落防止を目的として設置される防護柵に関する。
【００２１】
［１．第１実施形態］
［１−１．防護柵の概略構成］
はじめに、図１及び図２を参照して、本発明の第１実施形態に係る防護柵の概略構成について説明する。
【００２２】
なお、図１は、本発明の第１実施形態に係る防護柵を示す正面図である。図２は、本発明の第１実施形態に係る胴縁を示す斜視図である。
【００２３】
図１に示すように、本発明の第１実施形態に係る防護柵１は、地表に所定間隔をおいて立設される複数の支柱２１と、この支柱２１間に取り付けられる柵本体３１とから略構成されている。
【００２４】
支柱２１は、断面円形の管状体を有し、この管状形状の下部を地中に埋設することにより地上に立設される。この支柱２１は、ブラケット（図示省略）により柵本体３１と連結して固定される。
【００２５】
図１及び図２に示すように、柵本体３１は、支柱２１の間であって支柱２１と平行に沿って配設された複数の縦さん３２と、縦さん３２を固定する一対の胴縁３３とから略構成されている。
【００２６】
縦さん３２は、断面円形の管状体を有し、鋼管やアルミ合金管等の金属管から製作され、塗装や鍍金等の表面処理が施されている。この縦さん３２は、胴縁３３内に挿入される支持材（図示省略）により胴縁３３と連結する。
【００２７】
胴縁３３は、上下に水平方向にわたって配設される一対の上部胴縁３３ａと下部胴縁３３ｂとを有している。上部胴縁３３ａと下部胴縁３３ｂとは、縦さん３２の一端及び他端を固定した支持材をそれぞれ内部に挿入することにより、上部胴縁３３ａと下部胴縁３３ｂとの間に縦さん３２を固定する。
【００２８】
［１−２．下部胴縁の構成］
次に、図３を参照して、上述した下部胴縁３３ｂについて詳細に説明する。図３（ａ）は、下部胴縁３３ｂを示す上面図である。図３（ｂ）は、本発明の第１実施形態に係る下部胴縁を示す斜視図である。
【００２９】
また、図３（ｃ）は、下部胴縁３３ｂを示す側面図である。図３（ｄ）は、下部胴縁３３ｂの位置決め構造を示す斜視図である。図３（ｅ）は、下部胴縁３３ｂの位置決め構造を示す側面図である。
【００３０】
図３（ａ）から図３（ｅ）に示すように、下部胴縁３３ｂは、分割体３４として一方側の分割体３４ａと、他方側の分割体３４ｂとの２分割構造を有している。一方側の分割体３４ａと他方側の分割体３４ｂとは、縦さん３２を挟持する側の縦さん側端部３５ａ、３５ｂと、地表側の地表側端部３６ａ、３６ｂと、下部胴縁３３ｂの地表側に形成される開口部３７とをそれぞれ有している（図３（ｂ）参照）。
【００３１】
縦さん側端部３５ａ、３５ｂは、上述したように、胴縁３３内に挿入される支持材（図示省略）に縦さん３２を取り付けると、それぞれ縦さん３２を挟んで挟持する。
【００３２】
地表側端部３６ａ、３６ｂは、縦さん側端部３５ａ、３５ｂにより縦さん３２を挟持して固定した際に、地表側端部３６ａと地表側端部３６ｂとにより隙間Ｓを形成する（図３（ｄ）参照）。
【００３３】
開口部３７は（図３（ｄ）参照）、縦さん側端部３５ａ、３５ｂにより縦さん３２を挟持して固定した際に、地表側端部３６ａと３６ｂとの間に形成される隙間Ｓ（図３（ｄ）参照）として、下部胴縁３３ｂの地表側に形成される。
【００３４】
より具体的には、開口部３７は、分割体３４ａと３４ｂとを組み合わせることで、地表側端部３６ａと３６ｂとの間に、下部胴縁３３ｂの長手方向に連続的に形成されるものである。
【００３５】
つまり、分割体３４ａと３４ｂとは、それぞれ、地表側端部３６ａ、３６ｂに、切欠を有しており、この地表側端部３６ａと３６ｂとを対向させ、分割体３４ａと３４ｂとを組み合わせることで、地表側に開口部３７が形成される（図３（ｄ）参照）。
【００３６】
また、下部胴縁３３ｂには、一方側の分割体３４ａと他方側の分割体３４ｂとを位置決めする位置決め部（位置決め構造）４１が形成されている。本発明の第１実施形態では、位置決め部４１は、一方側の分割体３４ａ及び他方側の分割体３４ｂの地表側端部３６ａ、３６ｂがそれぞれ突出して設けられた突出当接部４２ａ、４２ｂにより構成されている。
【００３７】
突出当接部４２ａ、４２ｂは、胴縁３３に縦さん３２を固定する際に、それぞれ当接することにより、下部胴縁３３ｂの幅方向（図３（ｂ）の矢印Ｘ方向）、上下方向（図３（ｂ）の矢印Ｙ方向）、長手方向（図３（ｂ）の矢印Ｚ方向）に対して一方側の分割体３４ａと他方側の分割体３４ｂとを位置決めする。
【００３８】
なお、本実施形態において、この位置決め部４１は、下部胴縁３３ｂの両端部に設けているが、これに限らず、分割体３４ａ、３４ｂの位置決めを行うことができる位置である限りは、下部胴縁３３ｂの長手方向中央部や、長手方向任意の位置に設けることも可能である。
【００３９】
また、本実施形態において、下部胴縁３３ｂに位置決め部４１が設けられているが、下部胴縁３３ｂに位置決め部４１が設けられていなくてもよい。この場合、分割体３４ａと３４ｂとを組み合わせることで下部胴縁３３ｂの長手方向に連続的に形成された間隙（スリット状の隙間）が開口部３７に相当する（後述する図７（ｂ）参照）。
【００４０】
［１−３．防護柵の取り付け方法］
次に、図１から図３を参照して、上述した本発明の第１実施形態に係る防護柵１の取り付け方法について説明する。はじめに、上述した支持材（図示省略）に複数本の縦さん３２（図１参照）の一端及び他端をそれぞれ取り付ける。
【００４１】
そして、縦さん３２が取り付けられた支持材（図示省略）を上部胴縁３３ａの内部に挿入する。その後、下部胴縁３３ｂの一方側の分割体３４ａと他方側の分割体３４ｂに設けられた突出当接部４２ａ、４２ｂをそれぞれ当接させて、一方側の分割体３４ａと他方側の分割体３４ｂを位置決めする。
【００４２】
上部胴縁３３ａ及び下部胴縁３３ｂの内部に支持材（図示省略）が挿入され、上部胴縁３３ａと下部胴縁３３ｂとの間に縦さん３２が固定されると、上部胴縁３３ａ及び下部胴縁３３ｂをブラケット（図示省略）により支柱１にボルト（図示省略）で固定する。
【００４３】
［１−４．第１実施形態の作用効果］
このようにして、本発明の第１実施形態に係る防護柵１は、地表に所定間隔をおいて立設される複数の支柱２１と、支柱２１の間に支柱２１に平行に配設される縦さん３２と、縦さん３２を固定する一対の上部胴縁３３ａ及び下部胴縁３３ｂと、を有する防護柵１であって、下部胴縁３３ｂは、一方側の分割体３４ａと他方側の分割体３４ｂとの分割構造を有し、分割体３４により縦さん３２を挟持し、下部胴縁３３ｂの地表側に開口部３７が形成されている。
【００４４】
また、本発明の第１実施形態に係る防護柵１は、一方側の分割体３４ａと他方側の分割体３４ｂとを位置決めする位置決め構造（位置決め部）４２が形成されている。
【００４５】
さらに、本発明の第１実施形態に係る防護柵１の取り付け方法は、地表に所定間隔をおいて立設される複数の支柱２１と、支柱２１の間に支柱２１と平行に配設される縦さん３２と、縦さん３２を固定する一対の上部胴縁３３ａ及び下部胴縁３３ｂと、を用いて行う防護柵の取り付け方法であって、一方側の分割体３４ａと他方側の分割体３４ｂとを有する下部胴縁３３ｂにおける分割体３４同士によって縦さん３２を挟持させて下部胴縁３３ｂの地表側に開口部３７を形成する。
【００４６】
本発明の第１実施形態に係る防護柵１によれば、分割体３４同士によって縦さん３２を挟持させて下部胴縁３３ｂの地表側に開口部３７を形成するため（図３（ｄ）参照）、例えば、縦さん側端部３５ａ、３５ｂにより縦さん３２を挟んで挟持して固定した際に形成される縦さん側端部３５ａと縦さん側端部３５ｂとの隙間から下部胴縁３３ｂ内部へ侵入した雨水や塵埃を地表側へ排出することができる。従って、雨水や塵埃が溜まることによる腐食を防止することができ、製品の寿命を長く保つことができる防護柵１を提供することができる。
【００４７】
また、本発明の第１実施形態に係る防護柵１によれば、一方側の分割体３４ａと他方側の分割体３４ｂとの分割構造を有するため、管状形状の下部胴縁を製造するよりも製造しやすい。
【００４８】
さらに、本発明の第１実施形態に係る防護柵１によれば、雨水や塵埃を排出するために胴縁に水抜孔等を設けることが考えられるが、水抜孔等を形成するための製造工程数が増え、製造コストが高くなる。
【００４９】
これに対して、本発明の第１実施形態に係る防護柵１は、一方側の分割体３４ａと他方側の分割体３４ｂとの分割構造を有することにより、分割体３４ａ、３４ｂの地表側の長手方向に連続的に開口部３５を形成することができる。
【００５０】
したがって、水抜孔を形成するよりも製造しやすく、水抜孔の形成を管理する工程を低減して製造コストの低減を図ることができる。また開口部３７を大きく形成できるので、雨水や塵埃を排出する効果も高い。
【００５１】
また、本発明の第１実施形態に係る防護柵１によれば、位置決め構造（位置決め部）４２により一方側の分割体３４ａと他方側の分割体３４ｂとを位置決めするため、分割体３４同士を容易に配設することにより防護柵１の取り付け作業が簡便となる。
【００５２】
さらに、本発明の第１実施形態に係る防護柵１によれば、位置決め構造（位置決め部）４２により分割体３４同士を位置決めするため、縦さん３２が取り付けられた支持材（図示省略）を下部胴縁３３ｂの内部に挿入する作業の際等、防護柵１を地表に取り付ける際に分割体３４同士の位置ずれを防止することができる。
【００５３】
また、本発明の第１実施形態に係る防護柵１の取り付け方法によれば、分割体３４同士によって縦さん３２を挟持させて下部胴縁３３ｂの地表側に開口部３７を形成するため（図３（ｄ）参照）、例えば、縦さん側端部３５ａ、３５ｂにより縦さん３２を挟んで挟持して固定した際に形成される縦さん側端部３５ａと縦さん側端部３５ｂとの隙間から下部胴縁３３ｂ内部へ侵入した雨水や塵埃を地表側へ排出することができる。従って、雨水や塵埃が溜まることによる腐食を防止することができる防護柵１の取り付け方法を提供することができる。
【００５４】
さらに、本発明の第１実施形態に係る防護柵１の取り付け方法によれば、位置決め構造（位置決め部）４２により一方側の分割体３４ａと他方側の分割体３４ｂとを位置決めするため、分割体３４同士を容易に配設することにより防護柵１の取り付け作業が簡便となる。
【００５５】
また、本発明の第１実施形態に係る防護柵１の取り付け方法によれば、位置決め構造（位置決め部）４２により分割体３４同士を位置決めするため、縦さん３２が取り付けられた支持材（図示省略）を下部胴縁３３ｂの内部に挿入する作業の際等、防護柵１を地表に取り付ける際に分割体３４同士の位置ずれを防止することができる。
【００５６】
［２．第２の実施形態］
［２−１．下部胴縁の構成］
次に、図４を参照して、本発明の第２実施形態に係る防護柵及びその取り付け方法について詳細に説明する。本発明の第２実施形態に係る防護柵は、第１の実施形態に係る防護柵の構成のうち、分割体３４ａ、３４ｂに形成される地表側端部３６ａ、３６ｂの構成に改良を加えたものであり、その他の部分の構成は同様である。そこで以下では、本発明の第１実施形態に係る防護柵及びその取り付け方法と、同様の構成等については説明を省略するものとし、第１実施形態に係る防護柵と同様の構成要素には同一の符号を付して説明する。
【００５７】
はじめに、図４を参照して、本発明の第２実施形態に係る防護柵１の下部胴縁について詳細に説明する。図４（ａ）は、本発明の第２実施形態に係る下部胴縁を示す上面図である。図４（ｂ）は、本発明の第２実施形態に係る下部胴縁を示す斜視図である。
【００５８】
また、図４（ｃ）は、本発明の第２実施形態に係る下部胴縁を示す側面図である。図４（ｄ）は、本発明の第２実施形態に係る下部胴縁の位置決め構造を示す斜視図である。図４（ｅ）は、本発明の第２実施形態に係る下部胴縁の位置決め構造を示す側面図である。
【００５９】
図４（ａ）から図４（ｅ）に示すように、本発明の第２実施形態に係る防護柵１（図１参照）の下部胴縁３３ｂは、本発明の第１実施形態に係る防護柵１の下部胴縁３３ｂと同様に、一方側の分割体３４ａと、他方側の分割体３４ｂとの２分割構造を有している。一方側の分割体３４ａと他方側の分割体３４ｂとは、縦さん３２を挟持する縦さん側端部３５ａ、３５ｂと、地表側端部３６ａ、３６ｂとをそれぞれ有している（図４（ｂ）参照）。下部胴縁３３ｂには、一方側の分割体３４ａと他方側の分割体３４ｂとを位置決めする位置決め部（位置決め構造）５１が形成されている。
【００６０】
本発明の第２実施形態では、位置決め部５１は、一方側の分割体３４ａ及び他方側の分割体３４ｂの地表側端部３６ａ、３６ｂが下部３３ｂの内側に折り曲げられた突き合わせ部５２ａ、５２ｂにより構成されている。
【００６１】
この突き合わせ部５２ａ、５２ｂは、それぞれ当接する突き合わせ面５３ａ、５３ｂを有している。そして、胴縁３３に縦さん３２を固定する際に、この突き合わせ面５３ａ、５３ｂがそれぞれ当接することにより、下部胴縁３３ｂの幅方向（図４（ｂ）の矢印Ｘ方向）、上下方向（図４（ｂ）の矢印Ｙ方向）、長手方向（図４（ｂ）の矢印Ｚ方向）に対して一方側の分割体３４ａと他方側の分割体３４ｂとを位置決めする。
【００６２】
［２−２．防護柵の取り付け方法］
次に、図４（ａ）から図４（ｅ）を参照して、上述した本発明の第２実施形態に係る防護柵１の取り付け方法について説明する。はじめに、上述した支持材（図示省略）に複数本の縦さん３２（図１参照）の一端及び他端をそれぞれ取り付ける。
【００６３】
そして、縦さん３２が取り付けられた支持材（図示省略）を上部胴縁３３ａ及び下部胴縁３３ｂの内部に挿入する。その後、下部胴縁３３ｂの一方側の分割体３４ａと他方側の分割体３４ｂに設けられた突き合わせ部５２ａ、５２ｂの突き合わせ面５３ａ、５３ｂをそれぞれ当接させて、一方側の分割体３４ａと他方側の分割体３４ｂを位置決めする。
【００６４】
上部胴縁３３ａ及び下部胴縁３３ｂの内部に支持材（図示省略）が挿入され、上部胴縁３３ａと下部胴縁３３ｂとの間に縦さん３２が固定されると、上部胴縁３３ａ及び下部胴縁３３ｂをブラケット（図示省略）により支柱１にボルト（図示省略）で固定する。
【００６５】
［２−３．第２実施形態の作用効果］
このようにして、本発明の第２実施形態に係る防護柵１は、一方側の分割体３４ａと他方側の分割体３４ｂとを位置決めする位置決め構造（位置決め部）５１が形成されている。
【００６６】
本発明の第２実施形態に係る防護柵１によれば、位置決め構造（位置決め部）５１により一方側の分割体３４ａと他方側の分割体３４ｂとを位置決めするため、分割体３４同士を容易に配設することにより、雨水や塵埃が溜まることによる腐食を防止しつつ防護柵１の取り付け作業が簡便にすることができる。
【００６７】
また、本発明の第２実施形態に係る防護柵１によれば、位置決め構造（位置決め部）５１の突き合わせ部５２ａ、５２ｂにより分割体３４同士を位置決めするため、縦さん３２が取り付けられた支持材（図示省略）を下部胴縁３３ｂの内部に挿入する作業の際等、防護柵１を地表に取り付ける際に分割体３４同士の位置ずれを防止することができる。
【００６８】
特に、本発明の第２実施形態に係る防護柵１によれば、突き合わせ部５２ａ、５２ｂの突き合わせ面５３ａ、５３ｂ同士が当接する。つまり、面同士が当接するため、縦さん３２が取り付けられた支持材（図示省略）を下部胴縁３３ｂの内部に挿入する作業の際等、防護柵１を地表に取り付ける際により分割体３４同士の位置ずれを防止することができる。
【００６９】
また、本発明の第２実施形態に係る防護柵１の取り付け方法によれば、位置決め構造（位置決め部）５１の突き合わせ部５２ａ、５２ｂにより分割体３４同士を位置決めするため、縦さん３２が取り付けられた支持材（図示省略）を下部胴縁３３ｂの内部に挿入する作業の際等、防護柵１を地表に取り付ける際に分割体３４同士の位置ずれを防止することにより防護柵１の取り付け作業が簡便となる。
【００７０】
特に、本発明の第２実施形態に係る防護柵１の取り付け方法によれば、突き合わせ部５２ａ、５２ｂの突き合わせ面５３ａ、５３ｂ同士が当接する。つまり、面同士が当接するため、縦さん３２が取り付けられた支持材（図示省略）を下部胴縁３３ｂの内部に挿入する作業の際等、防護柵１を地表に取り付ける際により分割体３４同士の位置ずれを防止することにより作業効率を向上することができる。
【００７１】
［３．第３の実施形態］
［３−１．下部胴縁の構成］
次に、図５を参照して、本発明の第３実施形態に係る防護柵及びその取り付け方法について詳細に説明する。本発明の第３実施形態に係る防護柵は、第１の実施形態に係る防護柵の構成のうち、分割体３４ａ、３４ｂに形成される地表側端部３６ａ、３６ｂの構成に改良を加えたものであり、その他の部分の構成は同様である。そこで以下では、第１実施形態に係る防護柵及びその取り付け方法と略同様の構成等については説明を省略するものとし、第１実施形態に係る防護柵と同様の構成要素には同一の符号を付して説明する。
【００７２】
はじめに、図５を参照して、本発明の第３実施形態に係る防護柵１の下部胴縁について詳細に説明する。図５（ａ）は、本発明の第３実施形態に係る下部胴縁を示す上面図である。図５（ｂ）は、本発明の第３実施形態に係る下部胴縁を示す斜視図である。
【００７３】
また、図５（ｃ）は、本発明の第３実施形態に係る下部胴縁を示す側面図である。図５（ｄ）は、本発明の第３実施形態に係る下部胴縁の位置決め構造を示す斜視図である。図５（ｅ）は、本発明の第３実施形態に係る下部胴縁の位置決め構造を示す側面図である。
【００７４】
図５（ａ）から図５（ｅ）に示すように、本発明の第３実施形態に係る防護柵１（図１参照）の下部胴縁３３ｂは、本発明の第１実施形態に係る防護柵１の下部胴縁３３ｂと同様に、一方側の分割体３４ａと、他方側の分割体３４ｂとの２分割構造を有している。一方側の分割体３４ａと他方側の分割体３４ｂとは、縦さん３２を挟持する縦さん側端部３５ａ、３５ｂと、地表側端部３６ａ、３６ｂとを有している（図５（ｂ）参照）。
【００７５】
本発明の第３実施形態では、下部胴縁３３ｂには、一方側の分割体３４ａと他方側の分割体３４ｂとを仮止めする仮止め部（仮止め構造）６１が形成されている。仮止め部６１は、一方側の分割体３４ａ及び他方側の分割体３４ｂの地表側端部３６ａ、３６ｂ同士が係合する係合部６２ａ、６２ｂにより構成されている。
【００７６】
この係合部６２ａ、６２ｂは、地表側端部３６ａ側に設けられた被係合部６３ａと、地表側端部３６ｂ側に設けられた係合片６３ｂとを有している。そして、胴縁３３に縦さん３２を固定する際に、被係合部６３ａに係合片６３ｂを係合することにより、一方側の分割体３４ａと他方側の分割体３４ｂとを仮止めする。
【００７７】
［３−２．防護柵の取り付け方法］
次に、図５（ａ）から図５（ｅ）を参照して、上述した本発明の第３実施形態に係る防護柵１の取り付け方法について説明する。はじめに、上述した支持材（図示省略）に複数本の縦さん３２（図１参照）の一端及び他端をそれぞれ取り付ける。
【００７８】
そして、縦さん３２が取り付けられた支持材（図示省略）を上部胴縁３３ａ及び下部胴縁３３ｂの内部に挿入する。その後、下部胴縁３３ｂの一方側の分割体３４ａと他方側の分割体３４ｂに設けられた仮止め部６１の係合部６２ａ、６２ｂを係合させて、一方側の分割体３４ａと他方側の分割体３４ｂを仮止めする。
【００７９】
つまり、係合部６２ａ、６２ｂの被係合部６３ａに係合片６３ｂを係合することにより、一方側の分割体３４ａと他方側の分割体３４ｂとを仮止めする。
【００８０】
上部胴縁３３ａ及び下部胴縁３３ｂの内部に支持材（図示省略）が挿入され、上部胴縁３３ａと下部胴縁３３ｂとの間に縦さん３２が固定されると、上部胴縁３３ａ及び下部胴縁３３ｂをブラケット（図示省略）により支柱１にボルト（図示省略）で固定する。
【００８１】
［３−３．第３実施形態の作用効果］
このようにして、本発明の第３実施形態に係る防護柵１は、一方側の分割体３４ａと他方側の分割体３４ｂとを仮止めする仮止め構造（仮止め部）６１が形成されている。
【００８２】
本発明の第３実施形態に係る防護柵１によれば、仮止め構造（仮止め部）６１により一方側の分割体３４ａと他方側の分割体３４ｂとを仮止めするため、分割体３４同士を容易に配設することにより、雨水や塵埃が溜まることによる腐食を防止しつつ防護柵１の取り付け作業が簡便にすることができる。
【００８３】
また、本発明の第３実施形態に係る防護柵１によれば、仮止め構造（仮止め部）６１の係合部６２ａ、６２ｂにより分割体３４同士を仮止めするため、縦さん３２が取り付けられた支持材（図示省略）を下部胴縁３３ｂの内部に挿入する作業の際等、防護柵１を地表に取り付ける際に分割体３４同士の位置ずれ防止することができる。
【００８４】
特に、本発明の第３実施形態に係る防護柵１によれば、係合部６２ａ、６２ｂの被係合部６３ａに係止片６３ｂが係止することにより仮止めする。つまり、係止することにより仮止めするため、縦さん３２が取り付けられた支持材（図示省略）を下部胴縁３３ｂの内部に挿入する作業の際等、防護柵１を地表に取り付ける際、作業者が分割体３４同士を保持しなくとも位置ずれを防止することができる。
【００８５】
また、本発明の第３実施形態に係る防護柵１の取り付け方法によれば、仮止め部（仮止め構造）６１の係止部６２ａ、６２ｂにより分割体３４同士を仮止めするため、縦さん３２が取り付けられた支持材（図示省略）を下部胴縁３３ｂの内部に挿入する作業の際等、防護柵１を地表に取り付ける際に分割体３４同士の位置ずれを防止することにより防護柵１の取り付け作業が簡便となる。
【００８６】
特に、本発明の第３実施形態に係る防護柵１の取り付け方法によれば、係止部６２ａ、６２ｂの被係止部６３ａに係止片６３ｂが係止することにより仮止めする。つまり、係止部６２ａ、６２ｂにより係止して分割体３４同士を保持するため、縦さん３２が取り付けられた支持材（図示省略）を下部胴縁３３ｂの内部に挿入する作業の際等、防護柵１を地表に取り付ける際に分割体３４同士の位置ずれを防止することにより作業効率を向上することができる。
【００８７】
［４．第４の実施形態］
［４−１．下部胴縁の構成］
次に、図６を参照して、本発明の第４実施形態に係る防護柵及びその取り付け方法について詳細に説明する。本発明の第３実施形態に係る防護柵は、第１の実施形態に係る防護柵の構成のうち、分割体３４ａ、３４ｂに形成される地表側端部３６ａ、３６ｂの構成に改良を加えたものであり、その他の部分の構成は同様である。そこで以下では、本発明の第１実施形態に係る防護柵及びその取り付け方法と略同様の構成等については説明を省略するものとし、第１実施形態に係る防護柵と同様の構成要素には同一の符号を付して説明する。
【００８８】
はじめに、図６を参照して、本発明の第４実施形態に係る防護柵１の下部胴縁について詳細に説明する。図６（ａ）は、本発明の第４実施形態に係る下部胴縁を示す上面図である。図６（ｂ）は、本発明の第４実施形態に係る下部胴縁を示す斜視図である。
【００８９】
また、図６（ｃ）は、本発明の第４実施形態に係る下部胴縁を示す側面図である。図６（ｄ）は、本発明の第４実施形態に係る下部胴縁の位置決め構造を示す斜視図である。図６（ｅ）は、本発明の第４実施形態に係る下部胴縁の位置決め構造を示す側面図である。
【００９０】
図６（ａ）から図６（ｅ）に示すように、本発明の第４実施形態に係る防護柵１（図１参照）の下部胴縁３３ｂは、本発明の第１実施形態に係る防護柵１の下部胴縁３３ｂと同様に、一方側の分割体３４ａと、他方側の分割体３４ｂとの２分割構造を有している。一方側の分割体３４ａと他方側の分割体３４ｂとは、縦さん３２を挟持する縦さん側端部３５ａ、３５ｂと、地表側端部３６ａ、３６ｂとをそれぞれ有している（図６（ｂ）参照）。
【００９１】
本発明の第４実施形態では、下部胴縁３３ｂには、一方側の分割体３４ａと他方側の分割体３４ｂとを仮止めする仮止め部（仮止め構造）７１が形成されている。仮止め部６１は、一方側の分割体３４ａ及び他方側の分割体３４ｂの地表側端部３６ａ、３６ｂ同士が係止する係止部７２ａ、７２ｂにより構成されている。
【００９２】
この係止部７２ａ、７２ｂは、地表側端部３６ａ側に設けられた係止凸部７３ａと、地表側端部３６ｂ側に設けられた切り欠け部７３ｂとを有している。そして、胴縁３３に縦さん３２を固定する際に、切り欠け部７３ａを切り欠け部７３ｂに係止することにより、一方側の分割体３４ａと他方側の分割体３４ｂとを仮止めする。
【００９３】
［４−２．防護柵の取り付け方法］
次に、図６（ａ）から図６（ｅ）を参照して、上述した本発明の第４実施形態に係る防護柵１の取り付け方法について説明する。はじめに、上述した支持材（図示省略）に複数本の縦さん３２（図１参照）の一端及び他端をそれぞれ取り付ける。
【００９４】
そして、縦さん３２が取り付けられた支持材（図示省略）を上部胴縁３３ａ及び下部胴縁３３ｂの内部に挿入する。その後、下部胴縁３３ｂの一方側の分割体３４ａと他方側の分割体３４ｂに設けられた仮止め部７１の係止部７２ａ、７２ｂを係止させて、一方側の分割体３４ａと他方側の分割体３４ｂを仮止めする。
【００９５】
つまり、係止部７２ａ、７２ｂの切り欠け部７３ａを切り欠け部７３ｂに係止するにより、一方側の分割体３４ａと他方側の分割体３４ｂとを仮止めする。
【００９６】
上部胴縁３３ａ及び下部胴縁３３ｂの内部に支持材（図示省略）が挿入され、上部胴縁３３ａと下部胴縁３３ｂとの間に縦さん３２が固定されると、上部胴縁３３ａ及び下部胴縁３３ｂをブラケット（図示省略）により支柱１にボルト（図示省略）で固定する。
【００９７】
［４−３．第４実施形態の作用効果］
このようにして、本発明の第４実施形態に係る防護柵１は、一方側の分割体３４ａと他方側の分割体３４ｂとを仮止めする仮止め構造（仮止め部）７１が形成されている。
【００９８】
本発明の第４実施形態に係る防護柵１によれば、仮止め構造（仮止め部）７１により一方側の分割体３４ａと他方側の分割体３４ｂとを仮止めするため、分割体３４同士を容易に配設することにより、雨水や塵埃が溜まることによる腐食を防止しつつ防護柵１の取り付け作業が簡便にすることができる。
【００９９】
また、本発明の第４実施形態に係る防護柵１によれば、仮止め構造（仮止め部）７１の係合部６２ａ、６２ｂにより分割体３４同士を仮止めするため、縦さん３２が取り付けられた支持材（図示省略）を下部胴縁３３ｂの内部に挿入する作業の際等、防護柵１を地表に取り付ける際に分割体３４同士の位置ずれを防止することができる。
【０１００】
特に、本発明の第４実施形態に係る防護柵１によれば、係止部７２ａの切り欠け部７３ａを係止部７２ｂの切り欠け部７３ｂに係止するにより仮止めする。つまり、係止することにより仮止めするため、縦さん３２が取り付けられた支持材（図示省略）を下部胴縁３３ｂの内部に挿入する作業の際等、防護柵１を地表に取り付ける際、作業者が分割体３４同士を保持しなくとも位置ずれを防止することができる。
【０１０１】
また、本発明の第４実施形態に係る防護柵１の取り付け方法によれば、仮止め構造（位置決め部）７１の係止部７２ａ、７２ｂにより分割体３４同士を仮止めするため、縦さん３２が取り付けられた支持材（図示省略）を下部胴縁３３ｂの内部に挿入する作業の際等、防護柵１を地表に取り付ける際に分割体３４同士の位置ずれを防止することにより防護柵１の取り付け作業が簡便となる。
【０１０２】
特に、本発明の第４実施形態に係る防護柵１の取り付け方法によれば、係止部７２ａの切り欠け部７３ａを係止部７２ｂの切り欠け部７３ｂに係止することにより仮止めする。つまり、係止部７２ａ、７２ｂにより係止して分割体同士を保持するため、縦さん３２が取り付けられた支持材（図示省略）を下部胴縁３３ｂの内部に挿入する作業の際等、防護柵１を地表に取り付ける際、より分割体３４同士の位置ずれを防止することで作業効率を向上することができる。
【０１０３】
［５．第５の実施形態］
［５−１．下部胴縁の構成］
次に、図７を参照して、本発明の第５実施形態に係る防護柵及びその取り付け方法について詳細に説明する。本発明の第５実施形態に係る防護柵は、第１の実施形態に係る防護柵の構成のうち、端部キャップを装着することにより一方側の分割体３４ａと他方側の分割体３４ｂとを位置決めしたものであり、その他の部分の構成は同様である。そこで以下では、本発明の第１実施形態に係る防護柵及びその取り付け方法と、同様の構成等については説明を省略するものとし、第１実施形態に係る防護柵と同様の構成要素には同一の符号を付して説明する。
【０１０４】
はじめに、図７を参照して、本発明の第５実施形態に係る防護柵１の下部胴縁について詳細に説明する。図７（ａ）は、本発明の第５実施形態に係る下部胴縁を示す上面図である。図７（ｂ）は、本発明の第５実施形態に係る下部胴縁を示す斜視図である。
【０１０５】
また、図７（ｃ）は、本発明の第５実施形態に係る端部キャップを示す斜視図である。図７（ｄ）は、本発明の第５実施形態に係る下部胴縁に端部キャップが装着された状態を示す斜視図である。図７（ｅ）は、本発明の第５実施形態に係る端部キャップにより分割体を位置決めした状態を示す断面図である。
【０１０６】
図７（ａ）から図７（ｅ）に示すように、本発明の第５実施形態に係る防護柵１（図１参照）の下部胴縁３３ｂは、本発明の第１実施形態に係る防護柵１の下部胴縁３３ｂと同様に、一方側の分割体３４ａと、他方側の分割体３４ｂとの２分割構造を有している。一方側の分割体３４ａと他方側の分割体３４ｂとは、縦さん３２を挟持する縦さん側端部３５ａ、３５ｂと、地表側端部３６ａ、３６ｂとをそれぞれ有している（図７（ｂ）参照）。
【０１０７】
本発明の第５実施形態では、防護柵１（図１参照）は、下部胴縁３３ｂの長手方向（図７（ｂ）の矢印Ｚ方向）の一方の端部３８ａと他方の端部３８ｂに装着される端部キャップ８１を有している。
【０１０８】
端部キャップ８１は、鋼製、合成樹脂、ゴム等からなり、下部胴縁３３ｂの一方の端部３８ａ又は他方の端部３８ｂに装着可能に構成されている。つまり、端部キャップ８１は、一方が閉塞し他方が開口した蓋状を有している。
【０１０９】
本発明の第５実施形態では、この端部キャップ８１に、一方側の分割体３４ａと他方側の分割体３４ｂとを位置決めする位置決め部（位置決め構造）８２が形成されている。
【０１１０】
この位置決め部８２は、図７（ｃ）に示すように、凸状に形成されており一方側の分割体３４ａと他方側の分割体３４ｂとの間に間隙Ｓ（図７（ｄ）参照）が形成されるように分割体３４を保持する間隙保持部８３と、地表側端部３６ａと３６ｂとがそれぞれ当接する端部当接部８４ａ、８４ｂとにより構成されている。
【０１１１】
つまり、端部当接部８４ａ、８４ｂに地表側端部３６ａ、３６ｂを対向させて当接すると、間隙保持部８３により分割体３４同士の間に隙間Ｓ（図７（ｄ）参照）が形成される。
【０１１２】
そして、図７（ｄ）及び図７（ｅ）に示すように、胴縁３３に縦さん３２を固定する際に、下部胴縁３３ｂの一方の端部３８ａと他方の端部３８ｂに端部キャップ８１を装着することにより、地表側端部３６ａと３６ｂとがそれぞれ端部当接部８４ａ、８４ｂに当接し、分割体３４同士が所定の隙間Ｓ（図７（ｄ）参照）を設けて保持されることにより開口部３７が形成される。
【０１１３】
このように、端部キャップ８１を装着することにより、下部胴縁３３ｂの幅方向（図７（ｂ）の矢印Ｘ方向）、上下方向（図７（ｂ）の矢印Ｙ方向）、長手方向（図７（ｂ）の矢印Ｚ方向）に対して一方側の分割体３４ａと他方側の分割体３４ｂとを位置決めする。
【０１１４】
なお、本発明の第５実施形態では、下部胴縁３３ｂの長手方向（図７（ｂ）の矢印Ｚ方向）の一方の端部３８ａと他方の端部３８ｂに端部キャップ８１をそれぞれ装着する場合について説明したが、一方の端部３８ａ又は他方の端部３８ｂのずれか一方に端部キャップ８１を装着するように構成してもよい。
【０１１５】
［５−２．防護柵の取り付け方法］
次に、図７（ａ）から図７（ｅ）を参照して、上述した本発明の第５実施形態に係る防護柵１の取り付け方法について説明する。はじめに、上述した支持材（図示省略）に複数本の縦さん３２（図１参照）の一端及び他端をそれぞれ取り付ける。
【０１１６】
そして、縦さん３２が取り付けられた支持材（図示省略）を上部胴縁３３ａ及び下部胴縁３３ｂの内部に挿入する。その後、下部胴縁３３ｂの一方の端部３８ａと他方の端部３８ｂに端部キャップ８１をそれぞれ装着することにより、一方側の分割体３４ａと他方側の分割体３４ｂを位置決めする。
【０１１７】
つまり、端部キャップ８１をそれぞれ装着することにより、地表側端部３６ａと３６ｂとがそれぞれ端部当接部８４ａ、８４ｂに当接し、間隙保持部８３によって分割体３４同士が所定の隙間Ｓ（図７（ｄ）参照）を設けて保持されることにより開口部３７が形成される。
【０１１８】
そして、上部胴縁３３ａ及び下部胴縁３３ｂの内部に支持材（図示省略）が挿入され、上部胴縁３３ａと下部胴縁３３ｂとの間に縦さん３２が固定されると、上部胴縁３３ａ及び下部胴縁３３ｂをブラケット（図示省略）により支柱１にボルト（図示省略）で固定する。
【０１１９】
［５−３．第５実施形態の作用効果］
このようにして、本発明の第５実施形態に係る防護柵１は、一方側の分割体３４ａと他方側の分割体３４ｂとを位置決めする位置決め構造（位置決め部）８２が形成された端部キャップ８１を有する。
【０１２０】
本発明の第５実施形態に係る防護柵１によれば、端部キャップ８１に形成された位置決め構造（位置決め部）８２により一方側の分割体３４ａと他方側の分割体３４ｂとを位置決めするため、分割体３４同士を容易に配設することにより防護柵１の取り付け作業が簡便となる。
【０１２１】
また、本発明の第５実施形態に係る防護柵１によれば、端部キャップ８１の間隙保持部８３と端部当接部８４ａ、８４ｂにより分割体３４同士を位置決めするため、端部キャップ８１を下部胴縁３３ｂの一方の端部３８ａと他方の端部３８ｂに装着することにより、縦さん３２が取り付けられた支持材（図示省略）を下部胴縁３３ｂの内部に挿入する作業の際等、防護柵１を地表に取り付ける際に分割体３４同士の位置ずれを防止することができる。
【０１２２】
特に、本発明の第５実施形態に係る防護柵１によれば、端部キャップ８１の端部当接部８４ａ、８４ｂに地表側端部３６ａと３６ｂとがそれぞれ当接し、端部キャップ８１の間隙保持部８３によって開口部３７が形成された状態で分割体３４同士を位置決めする。このため、下部胴縁３３ｂの一方の端部３８ａと他方の端部３８ｂに端部キャップ８１を装着することにより、縦さん３２が取り付けられた支持材（図示省略）を下部胴縁３３ｂの内部に挿入する作業の際等、防護柵１を地表に取り付ける際、作業者が分割体３４同士を保持しなくとも位置ずれを防止することができる。
【０１２３】
また、本発明の第５実施形態に係る防護柵１によれば、下部胴縁３３ｂの一方の端部３８ａと他方の端部３８ｂに端部キャップ８１を装着するだけで分割体３４同士が開口部３７を形成した状態で保持されるため、雨水や塵埃が溜まることによる腐食を防止しつつ防護柵１の取り付け作業を簡便にすることができる。
【０１２４】
さらに、本発明の第５実施形態に係る防護柵１によれば、一方側の分割体３４ａと他方側の分割体３４ｂとが同形状の単純形状（略半円形状と縦さん側端部３５ａ、３５ｂの形状）となるため、管状形状の下部胴縁を製造するよりも製造しやすい。
【０１２５】
また、本発明の第５実施形態に係る防護柵１によれば、端部キャップ８１を取り付ける際に、所定強度を有する接着材などを塗布しておくと端部キャップ８１と下部胴縁３３ｂが一体化し、さらに強固に取り付けすることができる。
【０１２６】
さらに、本発明の第５実施形態に係る防護柵１の取り付け方法によれば、端部キャップ８１の位置決め部（位置決め構造）８２により分割体３４同士を位置決めするため、縦さん３２が取り付けられた支持材（図示省略）を下部胴縁３３ｂの内部に挿入する作業の際等、防護柵１を地表に取り付ける際に分割体３４同士の位置ずれを防止することにより防護柵１の取り付け作業が簡便となる。
【０１２７】
特に、本発明の第５実施形態に係る防護柵１の取り付け方法によれば、端部キャップ８１の端部当接部８４ａ、８４ｂに地表側端部３６ａと３６ｂとがそれぞれ当接し、端部キャップ８１の間隙保持部８３によって開口部３７が形成された状態で分割体３４同士を位置決めする。つまり、下部胴縁３３ｂの一方の端部３８ａと他方の端部３８ｂに端部キャップ８１をそれぞれ装着することにより、縦さん３２が取り付けられた支持材（図示省略）を下部胴縁３３ｂの内部に挿入する作業の際等、防護柵１を地表に取り付ける際に分割体３４同士の位置ずれを防止することにより作業効率を向上することができる。
【０１２８】
また、本発明の第５実施形態に係る防護柵１の取り付け方法によれば、下部胴縁３３ｂの一方の端部３８ａと他方の端部３８ｂに端部キャップ８１を装着するだけで分割体３４同士が開口部３７を形成した状態で保持されるため、雨水や塵埃が溜まることによる腐食を防止しつつ防護柵１の取り付け作業を簡便にすることができる。
【０１２９】
以上、本発明の防護柵を図示の実施形態に基づいて説明したが、本発明はこれに限定されるものではなく、各部の構成は、同様の機能を有する任意の構成のものに置き換えることができる。
【０１３０】
例えば、本発明の実施形態では、支柱２１及び縦さん３２は、断面円形の管状体を有している場合について説明したが、これに限定されない。例えば、断面矩形又は楕円形の管状体等の支柱や縦さんを用いてもよい。
【０１３１】
また、本発明の実施形態では、胴縁３３は上部胴縁３３ａ及び下部胴縁３３ｂの一対の胴縁３３である場合について説明したが、これに限定されない。例えば、上部胴縁３３ａと下部胴縁３３ｂとの間に複数の胴縁３３が設けられていてもよい。
【０１３２】
さらに、本発明の実施形態では、下部胴縁３３ｂに位置決め部４１、５１、８２が設けられている場合について説明したが、位置決め部４１、５１、８２が設けられている場所は適宜変更が可能である。また、位置決め部４１、５１が突出当接部４２ａ、４２ｂ、突き合わせ部５３ａ、５３ｂ、間隙保持部８３及び端部当接部８４ａ、８４ｂである場合について説明したが、位置決め部４１、５１、８１の形状は適宜変更が可能である。
【０１３３】
また、本発明の実施形態では、下部胴縁３３ｂに仮止め部６１、７１が設けられている場合について説明したが、仮止め部６１、７１が設けられている場所は適宜変更が可能である。また、仮止め部６１、７１が係合部６２ａ、６２ｂ及び係止部７２ａ、７２ｂの場合について説明したが、仮止め部６１、７１の形状は適宜変更が可能である。
【０１３４】
さらに、本発明の実施形態では、防護柵１には位置決め部４１、５１、８１又は仮止め部６２、７１が設けられている場合について説明したが、位置決め部４１、５１、８１又は仮止め部６２、７１が設けられていなくてもよい。
【０１３５】
つまり、位置決め部４１、５１、８１又は仮止め部６２、７１が設けられておらず、分割体３４ａと３４ｂとを組み合わせることで下部胴縁３３ｂの長手方向に連続的に形成された間隙（スリット状の隙間）も本発明の開口部３７に含まれる（例えば、図７（ｂ）参照）。
【０１３６】
以上のように、同様の機能を有する任意の構成のものに置き換え等しても、本発明の実施形態に係る防護柵１と同様の作用効果を得ることができる。
【符号の説明】
【０１３７】
１      防護柵
２１    支柱
３１    柵本体
３２    縦さん
３３    胴縁
３３ａ  上部胴縁
３３ｂ  下部胴縁
３４    分割体
３４ａ  一方側の分割体
３４ｂ  他方側の分割体
３５ａ  縦さん側端部
３５ｂ  地表側端部
３６    地表側端部
３７    開口部
３８ａ  一方の端部
３８ｂ  他方の端部
４１    位置決め部（第１実施形態）
４２    突出当接部（第１実施形態）
５１    位置決め部（第２実施形態）
５２    突き合わせ部（第２実施形態）
５３    突き合わせ面（第２実施形態）
６１    仮止め部（第３実施形態）
６２    係合部（第３実施形態）
６３ａ  被係合部（第３実施形態）
６３ｂ  係合片（第３実施形態）
７１    仮止め部（第４実施形態）
７２    係止部（第４実施形態）
７３ａ  切り欠け部（第４実施形態）
７３ｂ  切り欠け部（第４実施形態）
８１    端部キャップ（第５実施形態）
８２    位置決め部（第５実施形態）
８３    間隙保持部（第５実施形態）
８４    端部当接部（第５実施形態）
【図１】
2014185479.tif 000003
【図２】
2014185479.tif 000004
【図３−１】
2014185479.tif 000005
【図３−２】
2014185479.tif 000006
【図４−１】
2014185479.tif 000007
【図４−２】
2014185479.tif 000008
【図５−１】
2014185479.tif 000009
【図５−２】
2014185479.tif 000010
【図６−１】
2014185479.tif 000011
【図６−２】
2014185479.tif 000012
【図７−１】
2014185479.tif 000013
【図７−２】
2014185479.tif 000014